(57)【特許請求の範囲】
【請求項１】
基地局が多重ユーザー多重入力多重出力（ＭＵ―ＭＩＭＯ）通信に参加する端末にパイロット割り当て情報を伝送する方法において、
前記端末に一つ以上のパイロットストリームを割り当てる段階；及び
前記ＭＵ―ＭＩＭＯ通信のために割り当てられたパイロットストリームの総個数Ｋ、前記端末に割り当てられた前記一つ以上のパイロットストリームの個数Ｍ、前記端末に割り当てられた前記一つ以上のパイロットストリームのうち１番目のパイロットストリームのインデックスｋを示す情報を前記端末に伝送する段階を含む、パイロット割り当て情報伝送方法。
【請求項２】
Ｋ、Ｍ及びｋを示す前記情報は、Ｋ、Ｍ及びｋの１６個の組み合わせのうち一つの組み合わせを特定する、請求項１に記載のパイロット割り当て情報伝送方法。
【請求項３】
前記１６個の組み合わせは、（Ｋ，Ｍ，ｋ）＝（２，１，０）、（２，１，１）、（３，２，０）、（３，２，１）、（３，１，０）（３，１，１）、（３，１，２）、（４，３，０）、（４，３，１）、（４，２，０）、（４，２，１）、（４，２，２）、（４，１，０）、（４，１，１）、（４，１，２）及び（４，１，３）を含む、請求項２に記載のパイロット割り当て情報伝送方法。
【請求項４】
Ｋ、Ｍ及びｋを示す前記情報は、次のテーブルのインデックスのうち一つのインデックスを特定する、請求項３に記載のパイロット割り当て情報伝送方法。
【化１】
0005149445.tif 000006
【請求項５】
前記端末に割り当てられた前記一つ以上のパイロットストリームを前記端末から受信する段階をさらに含む、請求項１から４のうちいずれか１項に記載のパイロット割り当て情報伝送方法。
【請求項６】
多重ユーザー多重入力多重出力（ＭＵ―ＭＩＭＯ）通信に参加する端末が基地局からパイロット割り当て情報を受信する方法において、
前記ＭＵ―ＭＩＭＯ通信のために割り当てられたパイロットストリームの総個数Ｋ、前記端末に割り当てられた前記一つ以上のパイロットストリームの個数Ｍ、前記端末に割り当てられた前記一つ以上のパイロットストリームのうち１番目のパイロットストリームのインデックスｋを示す情報を前記基地局から受信する段階、及び
Ｋ、Ｍ及びｋを示す前記情報に基づいて前記端末に割り当てられた前記一つ以上のパイロットストリームを決定する段階を含むパイロット割り当て情報受信方法。
【請求項７】
Ｋ、Ｍ及びｋを示す前記情報は、Ｋ、Ｍ及びｋの１６個の組み合わせのうち一つの組み合わせを特定する、請求項６に記載のパイロット割り当て情報受信方法。
【請求項８】
前記１６個の組み合わせは、（Ｋ，Ｍ，ｋ）＝（２，１，０）、（２，１，１）、（３，２，０）、（３，２，１）、（３，１，０）、（３，１，１）、（３，１，２）、（４，３，０）、（４，３，１）、（４，２，０）、（４，２，１）、（４，２，２）、（４，１，０）、（４，１，１）、（４，１，２）及び（４，１，３）を含む、請求項７に記載のパイロット割り当て情報受信方法。
【請求項９】
Ｋ、Ｍ及びｋを示す前記情報は、次のテーブルのインデックスのうち一つのインデックスを特定する、請求項８に記載のパイロット割り当て情報受信方法。
【化２】
0005149445.tif 000007
【請求項１０】
前記端末に割り当てられた前記一つ以上のパイロットストリームを前記基地局に伝送する段階をさらに含む、請求項６から９のうちいずれか１項に記載のパイロット割り当て情報受信方法。
【請求項１１】
多重ユーザー多重入力多重出力（ＭＵ―ＭＩＭＯ）通信に参加する端末において、
前記ＭＵ―ＭＩＭＯ通信のために割り当てられたパイロットストリームの総個数Ｋ、前記端末に割り当てられた前記一つ以上のパイロットストリームの個数Ｍ、前記端末に割り当てられた前記一つ以上のパイロットストリームのうち１番目のパイロットストリームのインデックスｋを示す情報を基地局から受信する無線周波数ユニット；及び
Ｋ、Ｍ及びｋを示す前記情報に基づいて前記端末に割り当てられた前記一つ以上のパイロットストリームを決定するプロセッシングユニットを含む端末。
【請求項１２】
Ｋ、Ｍ及びｋを示す前記情報は、Ｋ、Ｍ及びｋの１６個の組み合わせのうち一つの組み合わせを特定する、請求項１１に記載の端末。
【請求項１３】
前記１６個の組み合わせは、（Ｋ，Ｍ，ｋ）＝（２，１，０）、（２，１，１）、（３，２，０）、（３，２，１）、（３，１，０）、（３，１，１）、（３，１，２）、（４，３，０）、（４，３，１）、（４，２，０）、（４，２，１）、（４，２，２）、（４，１，０）、（４，１，１）、（４，１，２）及び（４，１，３）を含む、請求項１２に記載の端末。
【請求項１４】
Ｋ、Ｍ及びｋを示す前記情報は、次のテーブルのインデックスのうち一つのインデックスを特定する、請求項１３に記載の端末。
【化３】
0005149445.tif 000008
【請求項１５】
前記無線周波数ユニットは、前記端末に割り当てられた前記一つ以上のパイロットストリームを前記基地局に伝送する、請求項１１から１４のうちいずれか１項に記載の端末。
【請求項１６】
多重ユーザー多重入力多重出力（ＭＵ―ＭＩＭＯ）通信をサポートする基地局において、
前記ＭＵ―ＭＩＭＯに参加する端末に一つ以上のパイロットストリームを割り当てるプロセッシングユニット；及び
前記ＭＵ―ＭＩＭＯ通信のために割り当てられたパイロットストリームの総個数Ｋ、前記端末に割り当てられた前記一つ以上のパイロットストリームの個数Ｍ、前記端末に割り当てられた前記一つ以上のパイロットストリームのうち１番目のパイロットストリームのインデックスｋを示す情報を前記端末に伝送する無線周波数ユニットを含む、基地局。
【請求項１７】
Ｋ、Ｍ及びｋを示す前記情報は、Ｋ、Ｍ及びｋの１６個の組み合わせのうち一つの組み合わせを特定する、請求項１６に記載の基地局。
【請求項１８】
前記１６個の組み合わせは、（Ｋ，Ｍ，ｋ）＝（２，１，０）、（２，１，１）、（３，２，０）、（３，２，１）、（３，１，０）、（３，１，１）、（３，１，２）、（４，３，０）、（４，３，１）、（４，２，０）、（４，２，１）、（４，２，２）、（４，１，０）、（４，１，１）、（４，１，２）及び（４，１，３）を含む、請求項１７に記載の基地局。
【請求項１９】
Ｋ、Ｍ及びｋを示す前記情報は、次のテーブルのインデックスのうち一つのインデックスを特定する、請求項１８に記載の基地局。
【化４】
0005149445.tif 000009
【請求項２０】
前記無線周波数ユニットは、前記端末に割り当てられた前記一つ以上のパイロットストリームを前記端末から受信する、請求項１６から１９のうちいずれか１項に記載の基地局。
【発明の詳細な説明】
【技術分野】
【０００１】
本発明は、多重ユーザー多重入出力システムに関するもので、特に、ユーザーにパイロット割り当て情報を伝送する方法、及びユーザー機器でそのようなパイロット割り当て情報を受信する方法に関するものである。
【背景技術】
【０００２】
次世代移動通信及び無線伝送システムでは、データ伝送率とシステム容量の向上のために、多数のアンテナを用いてデータを伝送する多重入出力（ｍｕｌｔｉ―ｉｎｐｕｔ  ｍｕｌｔｉ―ｏｕｔｐｕｔ）方式が使用されている。
【０００３】
単一ユーザーＭＩＭＯ（ｓｉｎｇｌｅ  ｕｓｅｒ  ｍｕｌｔｉｐｌｅ  ｉｎｐｕｔ  ｍｕｌｔｉｐｌｅ  ｏｕｔｐｕｔ；ＳＵ―ＭＩＭＯ）は、２個又はそれ以上のアンテナを有する一つの移動局（ｍｏｂｉｌｅ  ｓｔａｔｉｏｎ；ＭＳ）と２個又はそれ以上のアンテナを有する一つの基地局（ｂａｓｅ  ｓｔａｔｉｏｎ；ＢＳ）との間でチャンネル行列Ｈを形成するものである。その一方、多重ユーザーＭＩＭＯ（ｍｕｌｔｉ  ｕｓｅｒ  ｍｕｌｔｉｐｌｅ  ｉｎｐｕｔ  ｍｕｌｔｉｐｌｅ  ｏｕｔｐｕｔ；ＭＵ―ＭＩＭＯ）は、二つ又はそれ以上のアンテナを有する２個以上のＭＳと二つ又はそれ以上のアンテナを有する１個のＢＳとの間でチャンネル行列Ｈを形成するものである。図１は、アップリンク協力的ＭＩＭＯの概念を示した図である。
【０００４】
１世代ＭＩＭＯ方式がＢＳと一つのユーザーとの間に多数のアンテナを介して同時に複数の情報を伝送すると仮定していた場合、ＭＵ―ＭＩＭＯ方式は、図１及び図２に示すように、ＢＳと複数のユーザーとの間でＭＩＭＯ  ＳＭ（ｓｐａｔｉａｌ  ｍｕｌｔｉｐｌｅｘｉｎｇ）のための行列を作る方法である。
【０００５】
ＭＩＭＯの基本概念から類推できるように、ＭＩＭＯ  ＳＭのためのチャンネル特性行列は、行列内部の各値間の相関度が低いほどよい。したがって、多くのユーザーを一度に考慮すると、各ユーザーのアンテナ間ではより低い相関度が予想されるので、より優れた形態のチャンネル特性行列を得ることができる。
【０００６】
図２に示すように、ＳＵ―ＭＩＭＯで、基地局は、特定瞬間に任意のユーザーと２ｘ２行列を形成するとき、最も高い伝送速度を達成するためにどのユーザーと２ｘ２行列を形成しなければならないかを決定する。例えば、ＢＳがＵｓｅｒ―１とＭＩＭＯを形成する場合は、総２．５Ｍｂｐｓ（＝２．０＋０．５）の伝送速度を達成することができ、Ｕｓｅｒ―２とＭＩＭＯを形成する場合は、総２．０Ｍｂｐｓ（＝１．５＋０．５）を達成することができ、Ｕｓｅｒ―３とＭＩＭＯを形成する場合は、１．８Ｍｂｐｓ（＝０．８＋１．０）を達成することができる。したがって、前記ＢＳは、与えられた瞬間にＵｓｅｒ―１とＳＵ―ＭＩＭＯで動作する。
【０００７】
これと異なって、ＭＵ―ＭＩＭＯでは、データ伝送速度は、多数の送信アンテナを用いて互いに異なるユーザーに伝送される信号によって決定される。例えば、ＢＳがＵｓｅｒ―１とＵｓｅｒ―２に伝送する場合、総３．５Ｍｂｐｓ（２．０＋１．５）の伝送速度を達成することができる。しかし、ＭＵ―ＭＩＭＯシステムでも、特定瞬間にＢＳと単一ユーザーとの間で得られる伝送速度が全てのユーザー組み合わせのうち最も高い場合、前記ＢＳと前記単一ユーザーとの間でＭＩＭＯ動作を行うこともできる。したがって、ＭＵ―ＭＩＭＯがＳＵ―ＭＩＭＯより広い概念であると理解することができる。
【０００８】
以下、チャンネル推定方法及びパイロット信号について簡略に説明する。
【０００９】
同期信号を検出するために、受信機は、無線チャンネルの情報（減殺、位相偏移又は時間遅延など）を知るべきである。このとき、チャンネル推定は、搬送波の大きさ及び基準位相を推定することをいう。無線チャンネル環境は、時間と周波数領域上でチャンネル状態が時間的に不規則に変わるフェーディング特性を有する。このようなチャンネルに対して振幅と位相を推定することをチャンネル推定という。すなわち、チャンネル推定は、無線区間又は無線チャンネルの周波数応答を推定することである。
【発明の概要】
【発明が解決しようとする課題】
【００１０】
チャンネル推定のために、基準値は、２次元チャンネル推定器を使用してＢＳからのいくつかのパイロットシンボルに基づいて推定することができる。このとき、パイロットシンボルとは、搬送波位相同期化及び基地局情報獲得などに役立つように、実際にはデータを持たないが、高い出力を有するシンボルをいう。送信端及び受信端は、前記のようなパイロットシンボルを用いてチャンネル推定を行うことができる。パイロットシンボルによるチャンネル推定は、送受信端で共通的に知っているパイロットシンボルを通してチャンネルを推定し、その推定値を用いてデータを復元することである。
【００１１】
したがって、ＢＳは、ＭＵ―ＭＩＭＯシステムの各ＭＳに該当のＭＳに割り当てられるパイロットを示すパイロット割り当て情報を知らせなければならない。このために、ＭＵ―ＭＩＭＯシステムは、追加的なシグナリングを必要とする。
【課題を解決するための手段】
【００１２】
したがって、本発明は、前記のような問題を解決するために多重−ユーザー多重入力多重出力システムでユーザー機器にパイロット割り当て情報を伝送する方法と、ユーザー機器でそのようなパイロット割り当て情報を受信する方法に関するものである。
【００１３】
本発明の目的は、ＭＵ―ＭＩＭＯシステムでパイロット割り当て情報を効率的に伝送及び受信する方法を提供することにある。
【００１４】
本発明の追加的な特徴及び利点は、以下の説明で明白に記述されたり、部分的には本発明の実施例から知ることができる。本発明の目的及び利点は、添付の図面のみならず、記述される説明及び請求項で特別に指示された構造によって実現可能である。
【００１５】
上述した課題を解決するための本発明の一様相によって、ＭＵ―ＭＩＭＯ（Ｍｕｌｔｉ  Ｕｓｅｒ−Ｍｕｌｔｉ  Ｉｎｐｕｔ  Ｍｕｌｔｉ  Ｏｕｔｐｕｔ）通信に参加する複数の移動局のうち少なくとも一つの移動局による受信のために基地局からパイロット割り当て情報を伝送する方法において、前記一つの移動局のためのパイロット割り当て情報を生成する段階、及び前記一つの移動局による受信のために前記の生成されたファイル割り当て情報を伝送する段階を含み、前記パイロット割り当て情報は、前記複数の移動局に割り当てられるパイロットストリームの総個数Ｋ、前記ＭＵ―ＭＩＭＯ通信のために選択されたパイロットパターンに定義されている複数のパイロットストリームのうち前記一つの移動局に割り当てられる一つ以上のパイロットストリームの１番目のパイロットストリームを示すインデックスｋ、前記一つの移動局に割り当てられるパイロットストリームの個数Ｍ、及び前記パイロットパターンに定義されている前記複数のパイロットストリームのうち前記一つの移動局に割り当てられるパイロットストリームを指示するビットマップ情報のうち少なくとも一つを含む。
【００１６】
他の様相で、ＭＵ―ＭＩＭＯ（Ｍｕｌｔｉ  Ｕｓｅｒ―Ｍｕｌｔｉ  Ｉｎｐｕｔ  Ｍｕｌｔｉ  Ｏｕｔｐｕｔ）通信に参加する複数の移動局のうち少なくとも一つの移動局による受信のためにパイロット割り当て情報を基地局から伝送する方法において、複数の移動局に割り当てるパイロットストリームの総個数Ｋを決定する段階；前記ＭＵ―ＭＩＭＯ通信のために選択されたパイロットパターンに定義されている複数のパイロットストリームのうち前記一つの移動局に割り当てられる一つ以上のパイロットストリームの１番目のパイロットストリームを示すインデックスｋを決定する段階；前記一つの移動局に割り当てられるパイロットストリームの個数Ｍを決定する段階；及び前記の決定されたＫ、ｋ、Ｍに関する情報を前記一つの移動局による受信のために伝送する段階を含む、パイロット割り当て情報伝送方法が提供される。
【００１７】
他の様相で、ＭＵ―ＭＩＭＯ（Ｍｕｌｔｉ  Ｕｓｅｒ―Ｍｕｌｔｉ  Ｉｎｐｕｔ  Ｍｕｌｔｉ  Ｏｕｔｐｕｔ）通信において、複数の移動局のうち一つの移動局で基地局から伝送されたパイロット割り当て情報を用いる方法において、前記パイロット割り当て情報を受信する段階；及び前記パイロット割り当て情報を用いて前記ＭＵ―ＭＩＭＯ通信のために選択されたパイロットパターンで前記一つの移動局に割り当てられたパイロットの位置を決定する段階を含み、前記パイロット割り当て情報は、前記複数の移動局に割り当てられるパイロットストリームの総個数Ｋ、前記ＭＵ―ＭＩＭＯ通信のために選択されたパイロットパターンに定義されている複数のパイロットストリームのうち前記一つの移動局に割り当てられる一つ以上のパイロットストリームの１番目のパイロットストリームを示すインデックスｋ、前記一つの移動局に割り当てられるパイロットストリームの個数Ｍ、及び前記パイロットパターンに定義されている前記複数のパイロットストリームのうち前記一つの移動局に割り当てられるパイロットストリームを指示するビットマップ情報のうち少なくとも一つを含む、パイロット割り当て情報利用方法が提供される。
【００１８】
他の様相で、一つ以上の移動局とパイロット割り当て情報を伝送する少なくとも一つの基地局を有するＭＵ―ＭＩＭＯ（Ｍｕｌｔｉ  Ｕｓｅｒ−Ｍｕｌｔｉ  Ｉｎｐｕｔ  Ｍｕｌｔｉ  Ｏｕｔｐｕｔ）通信システム内の移動局を含む多重ユーザー多重入力多重出力システムで、ユーザー機器にパイロット割り当て情報を伝送する方法において、前記パイロット割り当て情報を受信する受信機；及び前記パイロット割り当て情報を用いて前記ＭＵ―ＭＩＭＯ通信のために選択されたパイロットパターンで前記移動局に割り当てられたパイロットの位置を決定するプロセッシングユニットを含み、前記パイロット割り当て情報は、前記複数の移動局に割り当てられるパイロットストリームの総個数Ｋ、前記ＭＵ―ＭＩＭＯ通信のために選択されたパイロットパターンに定義されている複数のパイロットストリームのうち前記移動局に割り当てられる一つ以上のパイロットストリームの１番目のパイロットストリームを示すインデックスｋ、前記移動局に割り当てられるパイロットストリームの個数Ｍ、及び前記パイロットパターンに定義されている前記複数のパイロットストリームのうち前記移動局に割り当てられるパイロットストリームを指示するビットマップ情報のうち少なくとも一つを含む、移動局が提供される。
【００１９】
他の様相で、一つ以上の移動局とパイロット割り当て情報を伝送する少なくとも一つの基地局を有するＭＵ―ＭＩＭＯ（Ｍｕｌｔｉ  Ｕｓｅｒ―Ｍｕｌｔｉ  Ｉｎｐｕｔ  Ｍｕｌｔｉ  Ｏｕｔｐｕｔ）通信システム内の移動局を含む多重ユーザー多重入力多重出力システムで、ユーザー機器にパイロット割り当て情報を伝送する方法において、前記複数の移動局のうち少なくとも一つの移動局のためのパイロット割り当て情報を生成するプロセッシングユニット；及び前記一つの移動局に前記パイロット割り当て情報を伝送する送信機を含み、前記パイロット割り当て情報は、前記複数の移動局に割り当てられるパイロットストリームの総個数Ｋ、前記ＭＵ―ＭＩＭＯ通信のために選択されたパイロットパターンに定義されている複数のパイロットストリームのうち前記一つの移動局に割り当てられる一つ以上のパイロットストリームの１番目のパイロットストリームを示すインデックスｋ、前記一つの移動局に割り当てられるパイロットストリームの個数Ｍ、及び前記パイロットパターンに定義されている前記複数のパイロットストリームのうち前記一つの移動局に割り当てられるパイロットストリームを指示するビットマップ情報のうち少なくとも一つを含む、基地局が提供される。
【００２０】
上述した一般的な説明及び後述する詳細な説明は、例示に過ぎないもので、請求される本発明の理解のために提供されたものである。
（項目１）
ＭＵ―ＭＩＭＯ（Ｍｕｌｔｉ  Ｕｓｅｒ―Ｍｕｌｔｉ  Ｉｎｐｕｔ  Ｍｕｌｔｉ  Ｏｕｔｐｕｔ）通信に参加する複数の受信端のうち少なくとも一つの受信端による受信のために伝送端からパイロット割り当て情報を伝送する方法において、
前記一つの受信端のためのパイロット割り当て情報を生成する段階；及び
前記一つの移動局による受信のために前記パイロット割り当て情報を伝送する段階を含み、
前記パイロット割り当て情報は、前記複数の移動局に割り当てられるパイロットストリームの総個数Ｋ、前記ＭＵ―ＭＩＭＯ通信のために選択されたパイロットパターンに定義されている複数のパイロットストリームのうち前記一つの移動局に割り当てられる一つ以上のパイロットストリームの１番目のパイロットストリームを示すインデックスｋ、前記一つの移動局に割り当てられるパイロットストリームの個数Ｍ、及び前記パイロットパターンに定義されている前記複数のパイロットストリームのうち前記一つの移動局に割り当てられるパイロットストリームを指示するビットマップ情報のうち少なくとも一つを含む、パイロット割り当て情報伝送方法。
（項目２）
前記ＭＵ―ＭＩＭＯ通信のために選択された前記パイロットパターンは、少なくとも前記複数の移動局に割り当てられる前記総Ｋ個のパイロットストリームをサポートする、項目１に記載のパイロット割り当て情報伝送方法。
（項目３）
前記複数の移動局に割り当てられるパイロットストリームの総個数Ｋに対応して選択可能なパイロットパターンが２個以上存在する場合、前記パイロット割り当て情報は、前記複数の移動局に割り当てられるパイロットストリームの総個数Ｋに対応する前記２個以上のパイロットパターンのうち前記の選択されたパイロットパターンを指示する情報をさらに含む、項目２に記載のパイロット割り当て情報伝送方法。
（項目４）
前記ｋ番目のパイロットストリームを含めて、総Ｍ個のパイロットストリームが前記一つの移動局に割り当てられる、項目１に記載のパイロット割り当て情報伝送方法。
（項目５）
前記ｋ番目のパイロットストリームを含めて、総Ｍ個の連続したパイロットストリームが前記一つの移動局に割り当てられる、項目１に記載のパイロット割り当て情報伝送方法。
（項目６）
前記一つの移動局に二つ以上のパイロットストリームが割り当てられる場合、前記パイロット割り当て情報は、前記一つの移動局に割り当てられる２番目以上のパイロットストリームのインデックスと前記１番目のパイロットストリームのインデックスｋとの差を示す情報をさらに含む、項目１に記載のパイロット割り当て情報伝送方法。
（項目７）
前記ビットマップ情報はＫビットを含む、項目１に記載のパイロット割り当て情報伝送方法。
（項目８）
ＭＵ―ＭＩＭＯ（Ｍｕｌｔｉ  Ｕｓｅｒ―Ｍｕｌｔｉ  Ｉｎｐｕｔ  Ｍｕｌｔｉ  Ｏｕｔｐｕｔ）通信に参加する複数の移動局のうち少なくとも一つの移動局による受信のためにパイロット割り当て情報を基地局から伝送する方法において、
複数の移動局に割り当てするパイロットストリームの総個数Ｋを決定する段階；
前記ＭＵ―ＭＩＭＯ通信のために選択されたパイロットパターンに定義されている複数のパイロットストリームのうち前記一つの移動局に割り当てられる一つ以上のパイロットストリームの１番目のパイロットストリームを示すインデックスｋを決定する段階；
前記一つの移動局に割り当てられるパイロットストリームの個数Ｍを決定する段階；及び
前記の決定されたＫ、ｋ、Ｍに関する情報を前記一つの移動局による受信のために伝送する段階を含む、パイロット割り当て情報伝送方法。
（項目９）
前記ＭＵ―ＭＩＭＯ通信のために選択された前記パイロットパターンは、少なくとも前記複数の移動局に割り当てられる前記総Ｋ個のパイロットストリームをサポートする、項目８に記載のパイロット割り当て情報伝送方法。
（項目１０）
ｋ番目のパイロットストリームを含めて、総Ｍ個のパイロットストリームが前記一つの移動局に割り当てられる、項目９に記載のパイロット割り当て情報伝送方法。
（項目１１）
前記の決定されたＫ、ｋ、Ｍに関する情報は、前記Ｋ、ｋ、Ｍを特定するインデックス値である、項目８に記載のパイロット割り当て情報伝送方法。
（項目１２）
ＭＵ―ＭＩＭＯ（Ｍｕｌｔｉ  Ｕｓｅｒ―Ｍｕｌｔｉ  Ｉｎｐｕｔ  Ｍｕｌｔｉ  Ｏｕｔｐｕｔ）通信において、複数の移動局のうち一つの移動局で基地局から伝送されたパイロット割り当て情報の用いる方法において、
前記パイロット割り当て情報を受信する段階；及び
前記パイロット割り当て情報を用いて前記ＭＵ―ＭＩＭＯ通信のために選択されたパイロットパターンで前記一つの移動局に割り当てられたパイロットの位置を決定する段階を含み、
前記パイロット割り当て情報は、前記複数の移動局に割り当てられるパイロットストリームの総個数Ｋ、前記ＭＵ―ＭＩＭＯ通信のために選択されたパイロットパターンに定義されている複数のパイロットストリームのうち前記一つの移動局に割り当てられる一つ以上のパイロットストリームの１番目のパイロットストリームを示すインデックスｋ、前記一つの移動局に割り当てられるパイロットストリームの個数Ｍ、及び前記パイロットパターンに定義されている前記複数のパイロットストリームのうち前記一つの移動局に割り当てられるパイロットストリームを指示するビットマップ情報のうち少なくとも一つを含む、パイロット割り当て情報利用方法。
（項目１３）
前記ＭＵ―ＭＩＭＯ通信のために選択された前記パイロットパターンは、少なくとも前記複数の移動局に割り当てられる前記総Ｋ個のパイロットストリームをサポートする、項目１２に記載のパイロット割り当て情報利用方法。
（項目１４）
前記複数の移動局に割り当てられるパイロットストリームの総個数Ｋに対応して選択可能なパイロットパターンが２個以上存在する場合、前記パイロット割り当て情報は、前記２個以上のパイロットパターンのうち前記の選択されたパイロットパターンを示す情報をさらに含む、項目１３に記載のパイロット割り当て情報利用方法。
（項目１５）
ｋ番目のパイロットストリームを含めて、総Ｍ個のパイロットストリームが前記一つの移動局に割り当てられる、項目１２に記載のパイロット割り当て情報利用方法。
（項目１６）
ｋ番目のパイロットストリームを含めて、総Ｍ個の連続したパイロットストリームが前記一つの移動局に割り当てられる、項目１２に記載のパイロット割り当て情報利用方法。
（項目１７）
前記一つの移動局に二つ以上のパイロットストリームが割り当てられる場合、前記パイロット割り当て情報は、前記移動局に割り当てられる２番目以上のパイロットストリームのインデックスと前記１番目のパイロットストリームのインデックスｋとの差を示す情報をさらに含む、項目１２に記載のパイロット割り当て情報利用方法。
（項目１８）
前記ビットマップ情報はＫビットを含む、項目１２に記載のパイロット割り当て情報利用方法。
（項目１９）
前記方法は、
前記基地局によって伝送されたパイロット信号を受信する段階；及び
前記一つの移動局に割り当てられたパイロットの位置と前記受信したパイロット信号を用いて前記基地局と前記一つの移動局との間の無線チャンネルを推定する段階をさらに含む、項目１２に記載のパイロット割り当て情報利用方法。
（項目２０）
前記一つの移動局に割り当てられたパイロットの位置でパイロット信号を前記基地局による受信のために伝送する段階をさらに含む、項目１２に記載のパイロット割り当て情報利用方法。
（項目２１）
一つ以上の移動局とパイロット割り当て情報を伝送する少なくとも一つの基地局を有するＭＵ―ＭＩＭＯ（Ｍｕｌｔｉ  Ｕｓｅｒ―Ｍｕｌｔｉ  Ｉｎｐｕｔ  Ｍｕｌｔｉ  Ｏｕｔｐｕｔ）通信システム内の移動局において、
前記パイロット割り当て情報を受信する受信機；及び
前記パイロット割り当て情報を用いて前記ＭＵ―ＭＩＭＯ通信のために選択されたパイロットパターンで前記移動局に割り当てられたパイロットの位置を決定するプロセッシングユニットを含み、
前記パイロット割り当て情報は、前記複数の移動局に割り当てられるパイロットストリームの総個数Ｋ、前記ＭＵ―ＭＩＭＯ通信のために選択されたパイロットパターンに定義されている複数のパイロットストリームのうち前記移動局に割り当てられる一つ以上のパイロットストリームの１番目のパイロットストリームを示すインデックスｋ、前記移動局に割り当てられるパイロットストリームの個数Ｍ、及び前記パイロットパターンに定義されている前記複数のパイロットストリームのうち前記移動局に割り当てられるパイロットストリームを指示するビットマップ情報のうち少なくとも一つを含む、移動局。
（項目２２）
前記ＭＵ―ＭＩＭＯ通信のために選択された前記パイロットパターンは、少なくとも前記複数の移動局に割り当てられる前記総Ｋ個のパイロットストリームをサポートする、項目２１に記載の移動局。
（項目２３）
前記複数の移動局に割り当てられるパイロットストリームの総個数Ｋに対応して選択可能なパイロットパターンが２個以上存在する場合、前記パイロット割り当て情報は、前記２個以上のパイロットパターンのうち前記の選択されたパイロットパターンを示す情報をさらに含む、項目２２に記載の移動局。
（項目２４）
ｋ番目のパイロットストリームを含めて、総Ｍ個のパイロットストリームが前記移動局に割り当てられる、項目２１に記載の移動局。
（項目２５）
ｋ番目のパイロットストリームを含めて、総Ｍ個の連続したパイロットストリームが前記移動局に割り当てられる、項目２１に記載の移動局。
（項目２６）
前記移動局に二つ以上のパイロットストリームが割り当てられる場合、前記パイロット割り当て情報は、前記移動局に割り当てられる２番目以上のパイロットストリームのインデックスと前記１番目のパイロットストリームのインデックスｋとの差を示す情報をさらに含む、項目２１に記載の移動局。
（項目２７）
前記ビットマップ情報はＫビットを含む、項目２１に記載の移動局。
（項目２８）
前記方法は、
前記受信機は、前記基地局によって伝送されたパイロット信号を受信するように構成され；
前記プロセッシングユニットは、前記移動局に割り当てられたパイロットの位置と前記の受信したパイロット信号を用いて前記基地局と前記移動局との間の無線チャンネルを推定するように構成された、項目２１に記載の移動局。
（項目２９）
前記移動局に割り当てられたパイロットの位置でパイロット信号を前記基地局に伝送する送信機をさらに含む、項目２１に記載の移動局。
（項目３０）
複数の移動局を有するＭＵ―ＭＩＭＯ（Ｍｕｌｔｉ  Ｕｓｅｒ―Ｍｕｌｔｉ  Ｉｎｐｕｔ  Ｍｕｌｔｉ  Ｏｕｔｐｕｔ）通信システム内の基地局において、
前記複数の移動局のうち少なくとも一つの移動局のためのパイロット割り当て情報を生成するプロセッシングユニット；及び
前記一つの移動局に前記パイロット割り当て情報を伝送する送信機を含み、
前記パイロット割り当て情報は、前記複数の移動局に割り当てられるパイロットストリームの総個数Ｋ、前記ＭＵ―ＭＩＭＯ通信のために選択されたパイロットパターンに定義されている複数のパイロットストリームのうち前記一つの移動局に割り当てられる一つ以上のパイロットストリームの１番目のパイロットストリームを示すインデックスｋ、前記一つの移動局に割り当てられるパイロットストリームの個数Ｍ、及び前記パイロットパターンに定義されている前記複数のパイロットストリームのうち前記一つの移動局に割り当てられるパイロットストリームを指示するビットマップ情報のうち少なくとも一つを含む、基地局。
（項目３１）
前記ＭＵ―ＭＩＭＯ通信のために選択された前記パイロットパターンは、少なくとも前記複数の移動局に割り当てられる前記総Ｋ個のパイロットストリームをサポートする、項目３０に記載の基地局。
（項目３２）
前記複数の移動局に割り当てられるパイロットストリームの総個数Ｋに対応して選択可能なパイロットパターンが２個以上存在する場合、前記パイロット割り当て情報は、前記複数の移動局に割り当てられるパイロットストリームの総個数Ｋに対応する前記２個以上のパイロットパターンのうち前記の選択されたパイロットパターンを指示する情報をさらに含む、項目３１に記載の基地局。
（項目３３）
ｋ番目のパイロットストリームを含めて、総Ｍ個のパイロットストリームが前記一つの移動局に割り当てられる、項目３０に記載の基地局。
（項目３４）
ｋ番目のパイロットストリームを含めて、総Ｍ個の連続したパイロットストリームが前記一つの移動局に割り当てられる、項目３０に記載の基地局。
（項目３５）
前記移動局に二つ以上のパイロットストリームが割り当てられる場合、前記パイロット割り当て情報は、前記一つの移動局に割り当てられる２番目以上のパイロットストリームのインデックスと前記１番目のパイロットストリームのインデックスｋとの差を示す情報をさらに含む、項目３０に記載の基地局。
（項目３６）
前記ビットマップ情報はＫビットを含む、項目３０に記載の基地局。
【発明の効果】
【００２１】
本発明によると、ＭＵ―ＭＩＭＯシステムにおいてパイロット割り当て情報をユーザー機器に効率的に伝送することができる。
【図面の簡単な説明】
【００２２】
本発明に関する理解を助けるために、詳細な説明の一部として含まれる添付の図面は、本発明に対する実施例を提供し、詳細な説明と共に本発明の技術的思想を説明する。
【図１】アップリンク多重ユーザー多重入力多重出力（ＭＵ―ＭＩＭＯ）通信を例示した図である。
【図２】ダウンリンクＭＵ―ＭＩＭＯ通信を例示した図である。
【図３】本発明の一実施例に係るパイロット割り当て情報伝送方法を例示したフローチャートである。
【図４】本発明の他の実施例に係るパイロット割り当て情報伝送方法を例示したフローチャートである。
【図５】本発明の各実施例に係る方法を具現するために、ＢＳ及びＵＥに適用可能な装置のブロック図である。
【発明を実施するための形態】
【００２３】
以下、添付の図面を参照して、本発明の各実施例を具体的に説明する。
【００２４】
多重ユーザーＭＩＭＯ（ｍｕｌｔｉ  ｕｓｅｒ  ｍｕｌｔｉｐｌｅ  ｉｎｐｕｔ  ｍｕｌｔｉｐｌｅ  ｏｕｔｐｕｔ；ＭＵ―ＭＩＭＯ）は、一つ以上のアンテナを有する２個以上のユーザーと多数のアンテナを有する１個の基地局（ＢＳ）との間でチャンネル行列を形成する方式である。前記ＢＳと前記ユーザーとの間のチャンネルを推定するために、パイロットシンボルが用いられる。パイロットシンボル基盤のチャンネル推定のためには、送信機及び受信機が共通的に知っているパイロットシンボルが使用される。したがって、ＢＳは、ユーザーに割り当てられるパイロットを特定する情報を前記ユーザーに提供する。
【００２５】
以下では、ＭＵ―ＭＩＭＯシステムでユーザーにパイロット割り当て情報を提供する方法を記述する。
【００２６】
フレームでサポートされるパイロットストリームの個数は、パイロットパターンによって異なり得る。パイロットパターン表示子をｉとしたとき、Ｐｉは、パイロットパターンｉによってサポートされるストリームの数と定義される。以下では、ＰＡ＝２を満足するパイロットパターンＡとＰＢ＝４を満足するパイロットパターンＢの二つのパイロットパターンが利用可能であると仮定する。ＭＵ―ＭＩＭＯのシステムでユーザーの総数をｎとしたとき、各ユーザーはＭＳ１、ＭＳ２、・・・、ＭＳｎに示すことができる。
【００２７】
パイロットパターンで一つのユーザーに割り当てられるパイロットストリームの数をＭｎとし、全てのユーザーに割り当てられるパイロットストリームの総数をＫと表示する。下記の各方法を用いて各ユーザーにパイロットパターン割り当て情報を提供することができる。
【００２８】
（実施例１）
図３は、本発明の一実施例に係るパイロット割り当て情報の伝送方法を例示したフローチャートである。図３に示すように、ＢＳは、パイロットパターンでユーザーに割り当てられるパイロットストリームの個数Ｍｎ、前記パイロットパターンで全てのユーザーに割り当てられるパイロットストリームの総個数Ｋ、そして、前記ユーザーに割り当てられたパイロットパターンに対して定義されている複数のパイロットストリームのうち前記ユーザーに割り当てられる一つ以上のパイロットストリームの１番目のパイロットストリームのインデックスｋを決定する（３０１段階）。前記ＢＳは、前記の決定されたＫ、Ｍｎ及びｋ値に関する情報を前記ユーザーに伝送する（３０２段階）。
【００２９】
以下、前記Ｋ、Ｍｎ及びｋを用いたパイロットパターンの選択及び割り当てを説明する。まず、Ｋ値を用いてパイロットパターンが自動的に選択される。具体的には、Ｋより小さくない個数のストリームをサポートする各パイロットパターンのうち、最も小さい個数のパイロットストリームをサポートするパイロットパターンが選択される。望ましくは、Ｋ個のストリームをサポートするパイロットパターンがあると、そのパイロットパターンが選択される。例えば、Ｋ＝３である場合、すなわち、全てのユーザーに割り当てられるパイロットストリームの総個数が３である場合、３より小さくない個数のパイロットストリームをサポートする各パイロットパターンのうち最も小さい個数のパイロットストリームをサポートするパイロットパターン（例えば、パイロットパターンＢ）が選択される。
【００３０】
前記ユーザーは、ｋ番目のパイロットストリームから始めて、総Ｍｎ個のパイロットストリームを前記の選択されたパイロットパターンで用いる。前記ユーザーのためのパイロットストリームのインデックスは、ｋからｋ＋Ｍｎ−１になる。例えば、パイロットパターンＢが選択され、パイロットストリーム１からパイロットストリーム４まで存在する場合、前記ユーザーに割り当てられた一つ以上のパイロットストリームのうち１番目のパイロットストリームのインデックスｋが２に設定され、パイロットストリーム２からパイロットストリーム２＋Ｍｎ−１が前記ユーザーのために使用される。したがって、前記ＢＳが前記Ｋ、Ｍｎ及びｋ値をユーザーに伝送すると、前記ユーザーは、前記Ｋ、Ｍｎ及びｋを用いて自分に割り当てられるパイロットパターンと、前記の選択されたパイロットパターンで自分に割り当てられたパイロットストリームを知るようになる。
【００３１】
（実施例２）
本発明の他の実施例によって、パイロット割り当て情報は、パイロットパターンで一つのユーザーに割り当てられるパイロットストリームの個数Ｍｎ、パイロットパターン情報、前記ユーザーに割り当てられた前記パイロットストリームのうち１番目のパイロットストリームのインデックスｋを用いて提供される。
【００３２】
全てのユーザーに割り当てられるパイロットストリームの総個数Ｋを用いてパイロットパターンが自動的に選択されるのではなく、前記パイロットパターンＭｎが該当のユーザーに直接指示される。例えば、二つのパイロットパターン（パイロットパターンＡとパイロットパターンＢ）のみが利用可能であれば、パイロットパターンＡとパイロットパターンＢが１ビットによって区分される。ただし、該当のユーザーのためのパイロットストリームは、本発明の上述した実施例と同じ方式で、ｋ〜ｋ＋Ｍｎ−１であると決定される。
【００３３】
ＭＵ―ＭＩＭＯ動作において、Ｋ、Ｍｎ又はｋ値が他の情報から暗黙的に決定されたり、又はシステム具現に依存する必要がない場合、該当のＭｎは伝送されないこともある。例えば、システムでＭｎが１に固定される場合、Ｍｎは伝送されないこともある。
【００３４】
実施例１において、Ｋ値が固定される場合は、Ｋ値が伝送される必要がない。例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍのアップリンクでのタイル―基盤（ｔｉｌｅ―ｂａｓｅｄ）のＤＲＵ（Ｄｉｓｔｒｉｂｕｔｅｄ  Ｒｅｓｏｕｒｃｅ  Ｕｎｉｔ）の割り当てがこれに該当する。ＩＥＥＥ  ８０２．１６ｍは、２個のストリームまでサポートし、Ｋ＝１である場合はＭＵ―ＭＩＭＯが適用されないので、タイル―基盤のＤＲＵの割り当てはＫを２に限定する。したがって、割り当てられた資源の特性によってＫがＭＵ―ＭＩＭＯインデックスのみから知られるので、Ｋが伝送される必要がない。Ｋ＝２で、Ｍｎ＝２であると、二つのパイロットストリームが単一ユーザーに割り当てられることを意味するので、ＭＵ―ＭＩＭＯを具現できない。したがって、Ｋ＝２であるとき、Ｍｎは１に限定される。このようにＫ＝２である場合、ユーザーＭＳｎは、前記ユーザーＭＳｎに割り当てられたパイロットストリームのうち１番目のパイロットストリームのインデックスｋ又は割り当てられたパイロットストリームの指示情報のみを必要とする。
【００３５】
また、ＢＳが２個の送信アンテナ又は最大２個のパイロットストリームのみをサポートするように制限された場合、ＫがＭＵ―ＭＩＭＯインデックスから知られるので、Ｋ値を伝送する必要がない。Ｍｎは、１に限定されるようになる。したがって、ユーザーＭｎに割り当てられる１番目のパイロットストリームのインデックス又は前記ユーザーＭｎに割り当てられたパイロットストリームの指示情報のみが伝送される必要がある。ただし、２個のパイロットストリームをサポートするパイロットパターンが複数存在する場合、使用されるパイロットパターンを区分するためのインデックスがさらに必要である。
【００３６】
一方、Ｋ、Ｍｎ及びｋ情報は、それぞれ独立的に適用することができる。例えば、Ｋ情報とｋ情報のみを仮定すると、ユーザーが総Ｋ個のパイロットストリームのうち前記ユーザーに割り当てられた１番目のパイロットストリームを認識するとしても、前記ユーザーは、連続したＭｎ個のストリームを利用せずに、前記ＢＳによって割り当てられた特定パイロットストリームを用いることもできる。例えば、前記ユーザーに割り当てられたパイロットストリームを指定するために、前記１番目のパイロットストリームのインデックスｋ値と前記割り当てられた他のパイロットストリームのインデックスとの差に関する情報を用いることができる。
【００３７】
表１は、ユーザーＭｎに利用可能なパイロット割り当て情報を並べたものである。表１は、パイロットパターンのために定義されたパイロットストリームのうち前記ユーザーに割り当てられたパイロットストリームの数Ｍｎ、前記パイロットパターンで全てのユーザーに割り当てられるパイロットストリームの総個数Ｋ、前記ユーザーＭｎに割り当てられたストリームのうち１番目のパイロットストリームのインデックスｋを用いて構成される。
【００３８】
【表１】
0005149445.tif 000002
表１に示すように、Ｋ、Ｍｎ、ｋ値を各ユーザーに提供し、各ユーザーにパイロット割り当て情報を提供することができる。各ユーザーは、伝送されたＫ、Ｍｎ、ｋ値を用いて自分に割り当てられたパイロットパターンと前記パイロットパターンで自分に割り当てられたパイロットストリームを知ることができる。
【００３９】
表１は、Ｋ＝２、Ｋ＝３、Ｋ＝４をサポートするＭＵ―ＭＩＭＯシステムを例に挙げて説明したものである。したがって、前記例に挙げたＭＵ―ＭＩＭＯシステムのユーザーには、１個、２個又は３個のパイロットストリームを割り当てることができる。０番目から３番目までの総４個のｋ値が利用可能であるが、これらの使用は、表１に記述したように制限的である。
【００４０】
一方、システムの特定資源領域でＫが２に限定される場合（例えば、最大２個のパイロットストリームがＩＥＥＥ  ８０２．１６ｍでサポートされたり、前記システムが２個の送信アンテナを有するように構成される場合）、２個のパイロット割り当てケースのみが利用可能である。したがって、１ビットのパイロット割り当て情報をユーザーに伝送することができる。
【００４１】
（実施例３）
表１では、Ｋ、Ｍｎ、ｋでパイロット割り当て情報が構成される一方、前記パイロット割り当て情報は、より簡単に構成することもできる。図４は、本発明の更に他の実施例によってパイロット割り当て情報を伝送する方法を例示したフローチャートである。
【００４２】
図４に示すように、ＢＳは、パイロットパターンでユーザーに割り当てられるパイロットストリームの個数Ｍｎ、前記パイロットパターン内で全てのユーザーに割り当てられるパイロットストリームの総個数Ｋ、そして、前記パイロットパターンのために定義された複数のパイロットストリームのうち前記ユーザーに割り当てられる一つ以上のパイロットストリームの１番目のパイロットストリームのインデックスｋを決定する（４０１段階）。次に、前記ＢＳは、前記の決定されたＫ、ｋ、Ｍｎで構成されたパイロット割り当て情報に対してインデックスを与える（４０２段階）。そして、前記ＢＳは、前記インデックスを前記ユーザーに伝送する（４０３段階）。
【００４３】
表１では、総１６個のモードが定義される。ここで、モードとは、インデックスにマッピングされるＫ、Ｍｎ、ｋ値によって、ユーザーによって決定されるパイロットパターンと前記パイロットパターンで前記ユーザーに割り当てられたパイロットストリームを示す。
【００４４】
したがって、前記ＢＳは、４ビットで前記各モードに対してインデックスを与え、前記インデックスをパイロット割り当て情報としてユーザーに提供することができる。
【００４５】
表２は、表１のパイロット割り当て情報構成テーブルを再構成した例を示す。
【００４６】
【表２】
0005149445.tif 000003
システムが４個のストリームのみをサポートする場合、表２では、インデックス０〜インデックス１５が必要である。システムが２個のパイロットストリームまでサポートする場合、例えば、ＢＳが２個の送信アンテナを有したり、又はタイル―基盤のＤＲＵがＭＵ―ＭＩＭＯユーザーに割り当てられる場合、インデックス０〜１５でなく、インデックス０及び１で十分である。
【００４７】
したがって、システム状況（例えば、オーバーヘッド、最大Ｍｎ値又は限定されたＫ値）によって、インデックス―基盤のパイロット割り当て情報構成テーブルから、使用可能なケースのみが抽出され、前記の抽出された各ケースに対して新しいインデックスを与えることによって、新しいパイロット情報構成テーブルを作ることもできる。
【００４８】
表３は、Ｋ＝４に制限され、Ｍｎは、１又は２である条件下でのパイロット割り当て情報構成テーブルの一例を示す。
【００４９】
【表３】
0005149445.tif 000004
Ｋ又はＭｎが唯一の値を有したり、他の設定によってその値を知ることができる場合は、その値は提供されないこともある。例えば、ＭＵ―ＭＩＭＯシステムで、Ｋ＝４のみが可能で、Ｍｎは１又は２のみが可能である場合は、表３は、表４のように簡略化することができる。すなわち、場合によって、必要でない情報は省略し、パイロット割り当て情報構成テーブルを再構成することができる。
【００５０】
【表４】
0005149445.tif 000005
パイロット情報構成テーブルがインデックスを用いて構成される場合において、ユーザーが前記テーブルの内容を知っている場合、ＢＳが特定インデックスのみを前記ユーザーに伝送すると、前記ユーザーは、前記特定インデックスによって、使用されたパイロットパターン及び自分に割り当てられるパイロットストリームを決定することができる。
【００５１】
一方、前記の割り当てられたパイロットストリームは、ビットマップによって指示することもできる。４個のパイロットストリームが使用可能である場合、割り当てられたパイロットストリームは４ビットに指示することができる。例えば、「１１００」に設定されたビットマップは、パイロットストリーム０と１が前記ユーザーに割り当てられたことを示し、「０１１０」に設定されたビットマップは、パイロットストリーム１と２が前記ユーザーに割り当てられることを示すことができる。
【００５２】
多数のパイロットパターンが利用可能である場合、選択されたパイロットパターンがビットマップの使用のために予め知られるべきである。したがって、前記の選択されたパイロットパターンは、直接指示されたり、又はＫによって指示される。Ｋが３である場合、全体のＭＵ―ＭＩＭＯユーザーによって用いられるストリームが３になり、その結果、総３ビットのビットマップが必要になる。
【００５３】
システムが固定されたビット領域を使用する場合、ビットマップの大きさはＫ値の最大値になり、ＬＳＢ（Ｌｅａｓｔ  Ｓｉｇｎｉｆｉｃａｎｔ  Ｂｉｔ）又ははＭＳＢ（Ｍｏｓｔ  Ｓｉｇｎｉｆｉｃａｎｔ  Ｂｉｔ）から始めて、使用されないビットは留保（ｒｅｓｅｒｖｅｄ）されることもある。
【００５４】
前記で説明したパイロット割り当て情報伝送方法は、アップリンクＭＵ―ＭＩＭＯでのみならず、ダウンリンクＭＵ―ＭＩＭＯでも適用可能である。
【００５５】
前記ＢＳからデータ及びパイロット割り当て情報を受信すると、ユーザーは、前記パイロット割り当て情報によって指示されたパイロットを使用して自分のチャンネル状態を決定し、前記チャンネル状態に基づいて前記データを復号する。アップリンクＭＵ―ＭＩＭＯにおいて、ユーザーは、データとパイロット割り当て情報をＢＳに伝送し、前記ＢＳは、前記パイロット割り当て情報によって指示されたパイロットを用いて前記ＢＳのチャンネル状態を決定し、前記チャンネル状態を活用して前記データを復号する。
【００５６】
上述した説明から分かるように、本発明によると、ＭＵ―ＭＩＭＯシステムのユーザー機器にパイロット割り当て情報を効果的に伝送することができる。
【００５７】
図５は、本発明の各実施例に係る方法を具現するために、ＢＳ及びＵＥに適用可能な装置のブロック図である。
【００５８】
図５を参照すると、装置５００は、プロセッシングユニット５１０、メモリユニット５２０、無線周波数（ｒａｄｉｏ  ｆｒｅｑｕｅｎｃｙ；ＲＦ）ユニット５３０、ディスプレイユニット５４０、ユーザーインターフェース（ｕｓｅｒ  ｉｎｔｅｒｆａｃｅ；ＵＩ）ユニット５５を含む。前記プロセッシングユニット５１０は、物理インターフェースプロトコルレイヤを管理し、制御プレーン及びユーザープレーンを提供する。また、前記プロセッシングユニットは、各レイヤの機能を行う。前記メモリユニット５２０は、前記プロセッシングユニット５１０に電気的に連結され、オペレーティングシステム、アプリケーションプログラム、一般のファイルを格納する。
【００５９】
前記装置５３０がＵＥであると、前記ディスプレイユニット５４０は、多様な情報をディスプレイすることができ、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ  ｅｍｉｔｔｉｎｇ  ｄｉｏｄｅ）などによって具現することができる。前記ＵＩユニット５５０は、キーパッド、タッチスクリーンなどのよく知られたＵＩの組み合わせに具現することができる。前記ＲＦユニット５３０は、前記プロセッシングユニット５４０に電気的に連結され、ＲＦ信号を送受信する。
【００６０】
本発明で「ＢＳ」という用語は、ユーザーと直接的に通信するネットワークの終端ノードを意味する。いくつかの場合において、ＢＳによって行われると説明された動作は、前記ＢＳの上位ノードによって行うこともできる。
【００６１】
すなわち、ＢＳを含む多数のネットワークノードからなるネットワークで、ユーザーとの通信のために行われる多様な動作は、前記ＢＳ又は前記ＢＳ以外の他のネットワークノードによって行うことができる。「ＢＳ」という用語は、固定局、Ｎｏｄｅ  Ｂ、ｅＮｏｄｅ  Ｂ（ｅＮＢ）、アクセスポイントなどの用語に取り替えられる。
【００６２】
本発明において「ユーザー」という用語は、「移動局（Ｍｏｂｉｌｅ  Ｓｔａｔｉｏｎ；ＭＳ）」に該当し、「ＭＳ」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）又は端末（Ｍｏｂｉｌｅ  Ｔｅｒｍｉｎａｌ）などの用語に取り替えられる。一方、ＭＳ（又はターミナル）としては、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００６３】
送信機は、データ又は音声サービスを伝送するノードを意味し、受信機は、データ又は音声サービスを受信するノードを意味する。したがって、アップリンクでは、ＭＳが送信機になり、ＢＳが受信機になり得る。これと同様に、ダウンリンクでは、ＭＳが受信機になり、ＢＳが送信機になり得る。
【００６４】
本発明に係る各実施例は、多様な手段を通して具現することができる。例えば、本発明の各実施例は、ハードウェア、ファームウェア、ソフトウェア又はそれらの結合などによって具現することができる。
【００６５】
ハードウェアによる具現の場合、本発明の各実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００６６】
ファームウェアやソフトウェアによる具現の場合、本発明の各実施例に係る方法は、以上説明した機能又は各動作を行うモジュール、手順又は関数などの形態で具現することができる。ソフトウェアコードは、メモリユニットに格納されてプロセッサによって駆動され得る。前記メモリユニットは、前記プロセッサの内部又は外部に位置し、既に公知の多様な手段によって前記プロセッサとデータを取り交わすことができる。
【００６７】
本発明は、その思想及び必須的特徴を逸脱しない範囲で他の特定の形態に具体化することができる。したがって、前記の詳細な説明は、全ての面で制限的に解釈されてはならなく、例示的なものとして考慮されなければならない。本発明の範囲は、添付の請求項の合理的な解釈によって決定されなければならなく、本発明の等価的範囲内での全ての変更は本発明の範囲に含まれる。また、特許請求の範囲で明示的な引用関係のない各請求項を結合して実施例を構成したり、出願後の補正によって新しい請求項を含ませることができる。
【産業上の利用可能性】
【００６８】
本発明は、無線接続システムに使用される端末又はネットワーク機器に用いることができる。
【図１】
0005149445.tif 000010
【図２】
0005149445.tif 000011
【図３】
0005149445.tif 000012
【図４】
0005149445.tif 000013
【図５】
0005149445.tif 000014